(57)【要約】【課題】既存の計器本体および該計器本体を取り付けるパネルに何らの加工をも必要としない簡単な構成によって、パネルにマッチした計器本体前面周辺部の意匠的美観が得られるようにする。【解決手段】前面に表示部３を有し且つ前面周縁に鍔部２ａが設けられた計器本体２の前記鍔部２ａの前面を覆って該鍔部２ａと共通の取付ネジ５でパネル１に止着される枠状プレート６と、この枠状プレート６に着脱可能に嵌着されて該枠状プレート６を覆う枠状のマスク部材７とを備えるように構成した。【選択図】　　　　図１
2004045093.tif 000002
【特許請求の範囲】
【請求項１】
前面に表示部を有し且つ前面周縁に鍔部が設けられた計器本体を、パネルに設けられた計器取付穴に嵌め込み、そのパネルの前面に前記鍔部を当接させて前記計器本体を前記パネルに取り付けたパネル計器において、前記計器本体の鍔部前面を覆って該鍔部と共通の取付ネジで前記パネルに止着される枠状プレートと、この枠状プレートに着脱可能に嵌着されて該枠状プレートを覆う枠状のマスク部材とを備えたことを特徴とするパネル計器。
【請求項２】
マスク部材の内周面は、奥行方向が先細りとなるテーパ状に形成されていることを特徴とする請求項１記載のパネル計器。
【請求項３】
枠状プレートとマスク部材の端部近傍には、これらの両者を係脱可能に係合する凹凸係合部が形成されていることを特徴とする請求項１記載のパネル計器。
【請求項４】
枠状プレートとマスク部材との一部には、マスク部材取り外し用の治具を差し込む切欠部が設けられていることを特徴とする請求項１または請求項３記載のパネル計器。
【請求項５】
マスク部材は、計器本体の前面に設けられた操作部を覆うように形成されていることを特徴とする請求項１から請求項４のうちのいずれか１項記載のパネル計器。
【発明の詳細な説明】
【０００１】
【発明の属する技術分野】
この発明は、例えば地震センサや流量センサ等による検出信号を入力して表示したり制御設定値を表示したりするパネル計器に関するものである。
【０００２】
【従来の技術】
図８は従来のパネル計器を示す斜視図である。
同図において、１は計器取付用のパネルであり、このパネル１には計器取付穴（図示せず）が設けられている。２はその計器取付穴を介して前記パネル１に取り付けられる計器本体、２ａはその計器本体２の前面周縁に一体形成された枠状の鍔部である。この鍔部２ａは意匠的外観を得るために着色されているもので、その両側には相反する方向に突出する取付片部２ｂが一体形成されている。ここで、前記鍔部２ａの内周面は、前記計器本体２の前面から直角方向前方に延びる段差状に形成されている。
【０００３】
３は前記計器本体２の前面に設けられた表示部（デジタル表示部）、４は前記計器本体２の前面における前記表示部３の下方に列装された複数の操作ボタン（操作部）、５は前記計器本体２両側の取付片部２ｂを前記パネル１に止着している取付ネジである。
【０００４】
次に、パネル１に対する計器本体２の取り付け動作について説明する。
まず、パネル１の計器取付穴に前方から計器本体２を嵌め込んで該計器本体２の鍔部２ａを前記パネル１の前面に当接させる。この状態において、前記取付片部２ｂを取付ネジ５で前記パネル１に止着することにより、該パネル１に前記計器本体２が取り付けられる。このようにしてパネル１に取り付けられた計器本体２は、その表示部３および操作ボタン４が表出した状態となる。
【０００５】
【発明が解決しようとする課題】
従来のパネル計器は以上のように構成されているので、パネル１の肌色と計器本体２の鍔部２ａの色とが異なる場合、それら両者の色合いがアンバランスとなるため、計器本体２の鍔部を覆い、取り付けや取り外しなどの扱いが簡単で色合いのバランスがとれるマスク部材が要求されていた。また、前記鍔部２ａの内周面が計器本体２の前面と略直角の段差状に形成されているため、その段差隅部に塵埃が付着堆積しやく、また、計器本体２が上方から照明光を受けている場合、前記鍔部２ａの内周面における特に上部段差部によってその下方（表示部３の上方）に影が生じるため、表示部３の表示内容を確認し難いという課題があった。さらには、計器本体２前面の操作ボタン４が露出したままの状態となるため、その操作ボタン４を不用意に誤操作する恐れがあった。
【０００６】
この発明は上記のような課題を解決するためになされたもので、既存の計器本体および該計器本体を取り付けるパネルに何らの加工をも必要としない簡単な構成のマスク部材を備えたパネル計器を得ることを目的とする。
【０００７】
また、この発明は、計器本体の前面に塵埃が付着し難い、かつ操作部の操作性が向上するパネル計器を得ることを目的とする。
【０００８】
さらに、この発明は、計器本体の前面周縁部を覆うマスク部材の着脱交換が容易なパネル計器を得ることを目的とする。
【０００９】
さらに、この発明は、マスク部材の取り外し操作をいっそう容易化することができるパネル計器を得ることを目的とする。
【００１０】
さらに、この発明は、計器本体前面の操作部を不用意に誤操作する恐れのないパネル計器を得ることを目的とする。
【００１１】
【課題を解決するための手段】
この発明に係るパネル計器は、前面に表示部を有し且つ前面周縁に鍔部が設けられた計器本体を、パネルに設けられた計器取付穴に嵌め込み、そのパネルの前面に前記鍔部を当接させて前記計器本体を前記パネルに取り付けたパネル計器において、前記計器本体の鍔部前面を覆って該鍔部と共通の取付ネジで前記パネルに止着される枠状プレートと、この枠状プレートに着脱可能に嵌着されて該枠状プレートを覆う枠状のマスク部材とを備えたものである。
【００１２】
この発明に係るパネル計器は、マスク部材の内周面を奥行方向が先細りとなるテーパ状に形成したものである。
【００１３】
この発明に係るパネル計器は、枠状プレートとマスク部材の端部近傍に、これらの両者を係脱可能に係合する凹凸係合部を形成したものである。
【００１４】
この発明に係るパネル計器は、枠状プレートとマスク部材との一部に、マスク部材取り外し用の治具を差し込む切欠部を設けたものである。
【００１５】
この発明に係るパネル計器のマスク部材は、計器本体の前面に設けられた操作部を覆うように形成されているものである。
【００１６】
【発明の実施の形態】
以下、この発明の実施の一形態を説明する。
実施の形態１．
図１はこの発明の実施の形態１によるパネル計器の分解斜視図、図２は図１の組立状態を示す斜視図、図３は図１および図２中の枠状プレートを示す正面図、図４は図１および図２中のマスク部材を示す正面図、図５はマスク部材を枠状プレートとの関連で示す断面図、図６はマスク部材をパネルに対する計器本体のネジ止め部で断面した部分的断面図であり、図８と同一または相当部分には同一符号を付して重複説明を省略する。
【００１７】
図において、１ａはパネル１に設けられた計器取付穴、１ｂはその計器取付穴１ａの両側近傍にて前記パネル１に設けられたネジ孔である。６は計器本体２の鍔部２ａ前面を覆う枠状プレート、６ａ，６ｂは枠状プレート６の両側部に設けられたネジ挿通孔であり、その一方のネジ挿通孔６ａは切欠孔からなり、他方のネジ挿通孔６ｂは円形孔からなり、それらのネジ挿通孔６ａ，６ｂは、計器本体２両側の取付片部２ｂに設けられた切欠孔と略同一間隔に設けられている。６ｃは前記枠状プレート６の上下辺部の両端部近傍に設けられた切欠部である。
【００１８】
７は前記枠状プレート６に前面側から着脱可能に嵌着されて該枠状プレート６を覆う枠状のマスク部材である。このマスク部材７は、図５および図６に示すように、外側枠状壁部７ａと、この外側枠状壁部７ａの前端から内側に向かって一連に屈曲形成され奥行方向が先細りとなるテーパ状の壁面部（以下、テーパ面壁部という）７ｂと、このテーパ面壁部７ｂの奥行先端に一連に形成されて前記前記外側枠状壁部７ａに平行する短寸の内側枠状壁部７ｃとからなり、前記外側枠状壁部７ａと前記テーパ面壁部７ｂおよび前記内側枠状壁部７ｃとの間に空間部７ｄを形成した構成となっている。したがって、前記マスク部材７は奥行が先細りとなるテーパ状の内周面を有する形状となっている。なお、前記内側枠状壁部７ｃは不要化してもよく、この場合、その不要化分だけ前記テーパ面壁部７ｂを延ばせばよい。
【００１９】
かかるマスク部材７は、少なくとも外側枠状壁部７ａが外側へ弾性変形可能に形成され、その外側枠状壁部７ａの内周面における該外側枠状壁部７ａの先端部（外側枠状壁部７ａの後端開口側）近傍には、枠状プレート６の外周端部の少なくとも一部を凹凸係合させるための凹状係合部７ｅが設けられている。なお、その凹状係合部７ｅにおいて、外側枠状壁部７ａの後端開口側の側壁部７ｆは断面円弧状に形成され、この円弧状壁部（円弧状突起部）７ｆによって、前記枠状プレート７ｅの端部を前記凹状係合部７ｅに対して容易に係脱させることができるようになっている。また、前記マスク部材７の上下辺部における両側端部近傍にはマスク部材取り外し用の治具（マイナスドライバ等）を差し込むための切欠部７ｇ（図１〜図３参照）が設けられており、これらの切欠部７ｇは、前記枠状プレート６の切欠部６ｃと対応する位置に形成されている。
【００２０】
次に動作について説明する。
まず、パネル１の計器取付穴１ａに前方から計器本体２を嵌め込んで該計器本体２の鍔部２ａを前記パネル１の前面に当接させる。次いで、前記計器本体２の鍔部２ａの前面に枠状プレート６を当接させることにより、該枠状プレート６で前記鍔部２ａを覆った状態にする。この状態で、枠状プレート６のネジ挿通孔６ａ，６ｂおよび計器本体２の取付片部２ｂの切欠孔を介してパネル１のネジ孔１ｂに取付ネジ５を螺合することにより、前記枠状プレート６と計器本体２の取付片部２ｂを前記パネル１に共締め固定する。その後、前記枠状プレート６の外側にマスク部材７の外側枠状壁部７ａを嵌め込むと、該外側枠状壁部７ａの内側の円弧状壁部７ｆに前記枠状プレート６の端部が係合するが、その状態から前記マスク部材７を更に押し込むと、前記円弧状壁部７ｆが枠状プレート６の端部を乗り越えることにより、該枠状プレート６の端部がマスク部材７の凹状係合部７ｅに係合する。これにより、前記マスク部材７は枠状プレート６に一体化されて該枠状プレート６の前面を覆った状態に保持されると共に、マスク部材７の空間部７ｄ内に取付ネジ５が収納された状態となる。したがって、取付ネジ５や枠状プレート６および計器本体２の鍔部２ａが外部に露出するようなことのない体裁の良く外観を呈する。
【００２１】
このようにして取り付けられたマスク部材７の交換等に際しては、マスク部材７の長手方向中央部のテーパ面壁部７ｂに指を当て、このテーパ面垂直方向に力を加えて、外側枠状壁部７ａを外方に弾性変形させると、その外側枠状壁部７ａ内側の凹状係合部７ｅから枠状プレート６の端部が外れるので、この状態で前記マスク部材７を容易に取り外すことができる。また、マスク部材７の交換等に際してはマイナスドライバ等の治具（図示せず）をマスク部材７の切欠部７ｂに差し込んでマスク部材７の外側枠状壁部７ａを外方に弾性変形させると、その外側枠状壁部７ａ内側の凹状係合部７ｅから枠状プレート６の端部が外れるので、上記と同様マスク部材を用意に取り外すことができる。
【００２２】
実施の形態２．
図７はこの発明の実施の形態２によるパネル計器を示す斜視図であり、図１〜図６と同一部分には同一符号を付して重複説明を省略する。
この実施の形態２では、マスク部材７の下側テーパ面壁部７ｂを図７において高さ方向に広く形成することにより、その下側テーパ面壁部７ｂで図１および図２に示す計器本体２の操作ボタン４群を覆うように構成したものである。このような構成とすることによって、操作ボタン４を不用意に誤操作するのを防止できる。
【００２３】
【発明の効果】
以上のように、この発明によれば、前面に表示部を有し且つ前面周縁に鍔部が設けられた計器本体の前記鍔部前面を覆って該鍔部と共通の取付ネジで前記パネルに止着される枠状プレートと、この枠状プレートに着脱可能に嵌着されて該枠状プレートを覆う枠状のマスク部材とを備えるように構成したので、既存の計器本体や該計器本体を取り付けるパネルに何らの加工をも必要とせずに枠状プレートおよびマスク部材を取り付けることができ、しかも、マスク部材は上述のように前記枠状プレートに対して着脱可能に嵌着させる取り付け構成のため、マスク部材をパネルとマッチした色またはデザインのものと容易に交換することができ、このため、計器本体表面周辺の意匠的美観を得ることができるという効果がある。
【００２４】
この発明によれば、マスク部材の内周面を奥行方向が先細りとなるテーパ状に形成するように構成したので、計器本体の鍔部内周や計器本体の前面に塵埃が付着し難くなると共に、マスク部材のテーパ面を指先ガイドとして計器本体前面の操作部を容易に操作することができ、その操作性が向上するという効果がある。また、上述のようにマスク部材の内周面をテーパ状に形成したことにより、そのマスク部材の内周面に起因して計器本体の表示部に照明光の影が生じるようなことがなくなり、このため、前記表示部の表示内容を容易に確認できるという効果がある。
【００２５】
この発明によれば、枠状プレートとマスク部材の端部近傍に、これらの両者を係脱可能に係合する凹凸係合部を形成するように構成したので、マスク部材を枠状プレートに嵌め込むだけで両者を一体化できるという効果がある。
【００２６】
この発明によれば、枠状プレートとマスク部材との一部に、マスク部材取り外し用の治具を差し込む切欠部を設けるように構成したので、その切欠部に治具を差し込んでマスク部材を部分的に弾性変形させるだけで枠状プレートとマスク部材との凹凸係合を容易に解除することができ、このため、マスク部材の交換等を容易に行うことができるという効果がある。
【００２７】
この発明によれば、マスク部材が計器本体の前面に設けられた操作部を覆うように構成したので、操作部を不用意に誤操作するのを防止できるという効果がある。
【図面の簡単な説明】
【図１】この発明の実施の形態１によるパネル計器の分解斜視図である。
【図２】図１の組立状態を示す斜視図である。
【図３】図１および図２中の枠状プレートを示す正面図である。
【図４】図１および図２中のマスク部材を示す正面図である。
【図５】マスク部材を枠状プレートとの関連で示す断面図である。
【図６】マスク部材をパネルに対する計器本体のネジ止め部で断面した部分的断面図である。
【図７】この実施の形態２によるパネル計器を示す斜視図である。
【図８】従来のパネル計器を示す斜視図である。
【符号の説明】
１　パネル
２　計器本体
２ａ　鍔部
２ｂ　取付片部
３　表示部
４　操作ボタン（操作部）
５　取付ネジ
６　枠状プレート
６ａ，６ｂ　ネジ挿通孔
６ｃ　切欠部
７　マスク部材
７ａ　外側枠状壁部
７ｂ　テーパ面壁部
７ｃ　内側枠状壁部
７ｄ　空間部
７ｅ　凹状係合部
７ｆ　円弧状突起部
７ｇ　切欠部
【図１】
2004045093.tif 000003
【図２】
2004045093.tif 000004
【図３】
2004045093.tif 000005
【図４】
2004045093.tif 000006
【図５】
2004045093.tif 000007
【図６】
2004045093.tif 000008
【図７】
2004045093.tif 000009
【図８】
2004045093.tif 000010